(57)【要約】【課題】送風性能の低下および大型化を抑制する。【解決手段】室外機のファンガード（１２）は、前面部（３１）に、ファン（１３）の径方向の、内側部分と対向する突出部（３１ａ）および外側部分と対向する傾斜部（３１ｂ）を有し、突出部（３１ａ）は、試験指を挿入でき、かつ突出部（３１ａ）の前面とファン（１３）との最短距離が試験指よりも長く、傾斜部（３１ｂ）は、試験指を挿入できず、かつ外周側端部に向かって高さが漸次低くなっている。【選択図】図３
2019143872.tif 000002
【特許請求の範囲】
【請求項１】
筐体の内部にプロペラファンであるファンが設けられ、前記筐体の前面に開口された空気吹出口が、前記ファンと対向する前面部に多数の開口部を有するファンガードにて覆われている空気調和機の室外機において、
前記ファンガードは、前記前面部に、前記ファンの径方向の、内側部分と対向する突出部および外側部分と対向する外周部を有し、
前記突出部は、試験指を挿入でき、かつ前記突出部の前面と前記ファンとの最短距離が前記試験指よりも長く、
前記外周部は、前記試験指を挿入できず、かつ外周側端部に向かうにしたがって前記筐体の前記前面からの高さが漸次低くなっていることを特徴とする空気調和機の室外機。
【請求項２】
前記試験指は、相対的に長さが長くかつ太い大人用試験指と、相対的に長さが短くかつ細い子供用試験指とがあり、前記試験指は大人用試験指であることを特徴とする請求項１に記載の空気調和機の室外機。
【請求項３】
前記試験指は、相対的に長さが長くかつ太い大人用試験指と、相対的に長さが短くかつ細い子供用試験指とがあり、前記試験指は子供用試験指であることを特徴とする請求項１に記載の空気調和機の室外機。
【請求項４】
前記ファンガードの前記前面部における前記外周部は、前方へ凸状に湾曲していることを特徴とする請求項１から３のいずれか１項に記載の空気調和機の室外機。
【発明の詳細な説明】
【技術分野】
【０００１】
本発明は、ファンおよびファンガードを備えた空気調和機の室外機に関する。
【背景技術】
【０００２】
空気調和機の室外機は、特許文献１および２に開示されているように、筐体の内部に、空気を吹き出すファンを有する。筐体には、ファンの正面部分に、開口部である空気吹出口が形成されており、その空気吹出口にはファンガードが取り付けられている。ファンガードは、空気吹出口への異物の侵入を防ぎ、かつ空気の吹出しを妨げないために、桟が格子状に配置されている。ファンガードの構造については、安全性を確保する観点から、所定の試験指がファンに触れないようにすることが法律上規定されている。
【０００３】
特許文献１に記載の構成では、桟のピッチを手指が入らない程度に設定している。しかしながら、このような構成では、桟が空気の吹出しを妨げることになる。
【０００４】
そこで、特許文献２に記載の構成では、ファンガードの、空気吹出口と対向する前面部は、試験指を挿入可能とし、かつファンからのファンガードの前面の高さを試験指がファンに届かない高さとしている。また、ファンガードの側面部は、試験指を挿入不能としている。
【先行技術文献】
【特許文献】
【０００５】
【特許文献１】特許第６２２５９５３号
【特許文献２】特許第４６３１８８２号
【発明の概要】
【発明が解決しようとする課題】
【０００６】
しかしながら、特許文献２に記載の空気調和機の室外機は、ファンガードの前面部全体が筐体の外面に対して一定の高さ位置に突出した形状であるため、室外機全体の容積が大きくなり、大型化している。
【０００７】
したがって、本発明の一態様は、送風性能の低下を抑制しながら、筐体の外面に対するファンガードの突出を抑制し、これによって大型化を抑制することができる空気調和機の室外機の提供を目的とする。
【課題を解決するための手段】
【０００８】
上記の課題を解決するために、本発明の一態様に係る空気調和機の室外機は、筐体の内部にプロペラファンであるファンが設けられ、前記筐体の前面に開口された空気吹出口が、前記ファンと対向する前面部に多数の開口部を有するファンガードにて覆われている空気調和機の室外機において、前記ファンガードは、前記前面部に、前記ファンの径方向の、内側部分と対向する突出部および外側部分と対向する外周部を有し、前記突出部は、試験指を挿入でき、かつ前記突出部の前面と前記ファンとの最短距離が前記試験指よりも長く、前記外周部は、前記試験指を挿入できず、かつ外周側端部に向かうにしたがって前記筐体の前記前面からの高さが漸次低くなっている。
【発明の効果】
【０００９】
本発明の一態様によれば、送風性能の低下を抑制しながら、筐体の外面に対するファンガードの突出を抑制し、これによって室外機の大型化を抑制することができる。
【図面の簡単な説明】
【００１０】
【図１】本発明の実施形態の空気調和機の室外機を示す斜視図である。
【図２】図１に示した室外機の正面図である。
【図３】図１に示した室外機の縦断面図である。
【図４】図３に示したファンの正面図である。
【図５】図３に示した室外機に対する大人用試験指を示す正面図である。
【図６】本発明の他の実施形態の空気調和機の室外機を示す縦断面図である。
【図７】図６に示した室外機に対する子供用試験指を示す正面図である。
【図８】本発明のさらに他の実施形態の空気調和機の室外機を示す縦断面図である。
【発明を実施するための形態】
【００１１】
〔実施形態１〕
以下、本発明の一実施形態について、詳細に説明する。図１は本実施形態の空気調和機の室外機（以下、単に室外機と称する）を示す斜視図、図２は図１に示した室外機の正面図、図３は図１に示した室外機の縦断面図、図４は図３に示したファンの正面図である。
【００１２】
（室外機１の概要）
図１および図２に示すように、室外機１は、筐体１１およびファンガード１２を備え、さらに図３に示すように、筐体１１の内部に、ファン１３、ファンモータ１４および熱交換器１５を備えている。
【００１３】
筐体１１は、ファン１３の外径よりも大きい径の開口部である空気吹出口１１ａを有し、ファン１３は筐体１１の内部における空気吹出口１１ａの位置に設けられている。ファンモータ１４は、筐体１１の内部に固定されたモータアングル１６に取り付けられ、ファン１３を回転させる。
【００１４】
（ファン１３の構成）
ファン１３は、図３および図４に示すように、プロペラファンであり、例えば３枚羽根を有し、中心部の周りおよび外周部が前方へ突出した突出部となっている。以下では、中心部の周りの突出部を中央突出部１３ａと称し、外周部の突出部を外周突出部１３ｂと称する。外周突出部１３ｂは、中央突出部１３ａよりも前方へ突出しており、ファン１３において最も前方へ突出している部分である。ファン１３は、このように外周部が最も前方へ突出した形状を有することにより、風を効率よく吹き出すことができる。
【００１５】
なお、ファン１３は、図４に示した形状を有することにより、次のような利点を有する。すなわち、ファン１３は、前縁部の側に向かって切込み部が形成されていることにより、回転によって生じる翼先端渦および馬蹄渦が切込み部に捉えられて保持される。これにより、翼先端渦および馬蹄渦の変動や発達を抑えることができるとともに、これらの渦とベルマウスや翼との干渉も抑制することができる。その結果、騒音の発生を抑制することができる。さらには、保持された翼先端渦および馬蹄渦のエネルギーを翼面上の剥離領域に注ぎ込むことで剥離を防ぐことができる。これにより、風量が増加して効率の高い送風を行なうことができる。
【００１６】
（ファンガード１２の構成の概要）
ファンガード１２は、筐体１１の空気吹出口１１ａの形状に対応し、図２に示すように、正面から見て円形に形成され、外周部が筐体１１の前面１１ｂに固定されている。
【００１７】
ファンガード１２は、図３に示すように、ファン１３と対向する前面部３１に突出部３１ａ、傾斜部（外周部）３１ｂおよび非開口部３１ｃを有する。
【００１８】
傾斜部３１ｂはファン１３の外周部と対向する円形の環状領域である。突出部３１ａは、傾斜部３１ｂよりも内側の領域であり、ファン１３の外周部よりも中心側部分と対向している円形の環状領域である。突出部３１ａおよび傾斜部３１ｂでは、桟１２ａが同心円状および放射状に形成されており、隣り合う桟１２ａ同士の間は開口部となっている。非開口部３１ｃは、ファン１３の中心部と対向し、風が通らない非開口の円形の領域であり、突出部３１ａの中心部に位置する。
【００１９】
突出部３１ａの前面は、筐体１１の底面に対して垂直である。傾斜部３１ｂは、ファンガード１２の外周側端部に向うにしたがって、ファンガード１２と筐体１１の前面１１ｂとの距離が短くなるように、筐体１１の前面１１ｂに向って傾斜している。このように、ファンガード１２は、前面部３１の外周部に傾斜部３１ｂを有しているので、側面部３２の長さが非常に短くなっている。言い換えると、筐体１１の前面１１ｂに対する傾斜部３１ｂの最外周部の高さは、筐体１１の前面１１ｂに対する突出部３１ａの前面の高さよりも非常に低くなっている。本実施形態において、傾斜部３１ｂは直線状に筐体１１の前面１１ｂに向って傾斜している。
【００２０】
ファンガード１２の側面部３２は、筐体１１の前面１１ｂに対する取付部となり、桟１２ａが室外機１の前後方向に延びる形状に形成されている。
【００２１】
（ファンガード１２の構成の詳細）
図５は、室外機１に対する大人用試験指２１を示す正面図である。大人用試験指２１は、大人の指を想定したものである。なお、図５に記載している大人用試験指２１の寸法は、特定の規格についてのものであり、一例である。
【００２２】
ファンガード１２について、前面部３１の突出部３１ａの桟１２ａのピッチは、大人用試験指（試験指）２１を挿入できるピッチとなっている。一方、前面部３１の傾斜部３１ｂおよび側面部３２の桟１２ａのピッチは、突出部３１ａの桟１２ａのピッチよりも短く、大人用試験指２１を挿入できないピッチとなっている。
【００２３】
突出部３１ａの前面に垂直な方向の、突出部３１ａの前面とファン１３の中央突出部１３ａとの距離Ｈａ１は、大人用試験指２１よりも長くなっている。また、突出部３１ａの前面に垂直な方向の、突出部３１ａの前面とファン１３の外周突出部１３ｂとの距離Ｈａ２は、距離Ｈａ１よりも短くなっている。また、傾斜部３１ｂの前面は、突出部３１ａの前面よりも後方へ退行するように傾斜しているので、傾斜部３１ｂの前面とファン１３の外周突出部１３ｂとの距離は、距離Ｈａ２よりもさらに短くなっている。また、傾斜部３１ｂの前面とファン１３との距離は、傾斜部３１ｂの位置によっては大人用試験指２１の長さよりも短くなっている。
【００２４】
（室外機１の利点）
本実施形態の室外機１は、筐体１１の外面から突出するように設けられたファンガード１２の、ファン１３の外周部と対向する領域を筐体１１の外面方向へ傾斜した傾斜部３１ｂとしている。すなわち、ファンガード１２の、外周部である傾斜部３１ｂは、外周側端部に向かうにしたがって筐体１１の前面１１ｂからの高さが漸次低くなっている。これにより、室外機１は、筐体１１の外面（前面１１ｂ）からのファンガード１２の突出を抑制し、大型化を抑制することができる。また、ファンガード１２が突出部３１ａの周りに傾斜部３１ｂを有することにより、良好なデザインとなっている。
【００２５】
また、室外機１は、ファンガード１２の、傾斜部３１ｂよりも内側の領域である突出部３１ａの桟１２ａのピッチを大人用試験指２１を挿入できるピッチとすることにより、送風性能の低下を抑制することができる。
【００２６】
また、室外機１は、ファンガード１２の、ファン１３との距離が近くなる傾斜部３１ｂの桟１２ａのピッチを大人用試験指２１を挿入できないピッチとし、突出部３１ａの前面とファン１３との距離Ｈａ１（突出部３１ａの前面とファン１３との最短距離）を大人用試験指２１よりも長くしている。これにより、安全性を確保することができる。
【００２７】
したがって、室外機１は、送風性能の低下を抑制しながら、筐体１１の外面に対するファンガード１２の突出を抑制し、これによって大型化を抑制することができる。
【００２８】
また、ファンガード１２を成型型により樹脂成形する場合、側面部３２の桟１２ａは、通常、室外機１の前後方向（ファンガード１２の突出方向）に延びる桟１２ａのみの形状となる。この場合、側面部３２が室外機１の前後方向に長いと、桟１２ａは隣り合う桟１２ａ同士の間隔が広がる方向に変形し易く、指を挿入し易くなる。これに対し、本実施形態のファンガード１２は、傾斜部３１ｂを有することにより、室外機１の前後方向における側面部３２の長さが短く、側面部３２の桟１２ａの長さも短くなっている。したがって、側面部３２では桟１２ａのピッチを非常に短くしなくても指の侵入を防止し易く、これによって側面部３２での送風抵抗を小さくすることができる。
【００２９】
ここで、例えば、ファンガード１２が前面部３１に傾斜部３１ｂを有していない形状とした場合、前面部３１の全体が突出部３１ａとなる。この形状において、前面部３１の突出量を抑制しようとすれば、前面部３１全体の桟１２ａのピッチを短くする必要がある。この場合には、送風抵抗が大きくなり、送風性能が低下する。一方、送風性能の低下を防止するために、前面部３１の桟１２ａのピッチを大人用試験指２１が入る程度に長くすれば、前面部３１から挿入された大人用試験指２１がファン１３と接触しないように、前面部３１全体を筐体１１の外面に対して大きく突出させる必要がある。この場合には、ファンガード１２を含む室外機１の形状が大型化する。本実施形態のように、ファンガード１２が前面部３１に傾斜部３１ｂを有している形状では、室外機１の送風性能の低下の抑制および室外機１の大型化の抑制に対応可能である。
【００３０】
なお、本実施形態の室外機１において、ファンガード１２の前面部３１の傾斜部３１ｂおよび側面部３２の桟１２ａのピッチは、大人用試験指２１を挿入できないピッチとしたが、大人用試験指２１よりも細い、後述する子供用試験指（試験指）２２を挿入できないピッチであってもよい。
【００３１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３２】
図６は、本実施形態の室外機の縦断面図である。図６に示すように、本実施形態の室外機２は、図３に示したファンガード１２に代えて、ファンガード４１を備えている。
【００３３】
（ファンガード４１の構成の概要）
ファンガード４１は、ファンガード１２と同様の外観を有し、図６に示すように、前面部４２、突出部４２ａ、傾斜部（外周部）４２ｂおよび非開口部４２ｃ、並びに側面部４３を有する。これら前面部４２、突出部４２ａ、傾斜部４２ｂおよび非開口部４２ｃ、並びに側面部４３は、それぞれファンガード１２の前面部３１、突出部３１ａ、傾斜部３１ｂおよび非開口部３１ｃ、並びに側面部３２に対応する。また、桟４１ａは、ファンガード１２の桟１２ａに対応する。
【００３４】
（ファンガード４１の構成の詳細）
図７は、室外機２に対する子供用試験指２２を示す正面図である。子供用試験指（試験指）２２は、子供の指を想定したものであり、図５に示した大人用試験指２１よりも細くかつ短い。なお、図７に記載している子供用試験指２２の寸法は、特定の規格についてのものであり、一例である。
【００３５】
ファンガード４１について、前面部４２の突出部４２ａの桟４１ａのピッチは、子供用試験指２２を挿入でき、大人用試験指２１を挿入できないピッチとなっている。一方、前面部４２の傾斜部４２ｂおよび側面部４３の桟４１ａのピッチは、突出部４２ａの桟４１ａのピッチよりも短く、大人用試験指２１および子供用試験指２２を挿入できないピッチとなっている。
【００３６】
突出部４２ａの前面に垂直な方向の、突出部４２ａの前面とファン１３の中央突出部１３ａとの距離Ｈｂ１は、子供用試験指２２よりも長く、大人用試験指２１よりも短くなっている。また、突出部４２ａの前面に垂直な方向の、突出部４２ａの前面とファン１３の外周突出部１３ｂとの距離Ｈｂ２は、距離Ｈｂ１よりも短くなっている。また、傾斜部４２ｂの前面は、突出部４２ａの前面よりも後方へ退行するように傾斜しているので、傾斜部４２ｂの前面とファン１３の外周突出部１３ｂとの距離は、距離Ｈｂ２よりもさらに短くなっている。
【００３７】
（室外機２の利点）
本実施形態の室外機２は、ファンガード４１が大人用試験指２１に加えて子供用試験指２２にも対応し、大人および子供に対する安全を高めた構成となっている。
【００３８】
本実施形態の室外機２は、前述した室外機１と同様、筐体１１の外面から突出するように設けられたファンガード４１の、ファン１３の外周部と対向する領域を筐体１１の外面方向へ傾斜した傾斜部４２ｂとしている。これにより、室外機２は、筐体１１の外面からのファンガード４１の突出を抑制し、大型化を抑制することができる。また、ファンガード４１が突出部４２ａの周りに傾斜部４２ｂを有することにより、良好なデザインとなっている。
【００３９】
また、室外機２は、ファンガード４１の、ファン１３との距離が近くなる突出部４２ａの桟４１ａのピッチを子供用試験指２２を挿入できるピッチとすることにより、送風性能の低下を抑制することができる。
【００４０】
また、室外機２は、ファンガード４１の、ファン１３との距離が近くなる傾斜部４２ｂの桟４１ａのピッチを大人用試験指２１および子供用試験指２２が挿入できないピッチとし、突出部４２ａの前面とファン１３との距離Ｈｂ１を子供用試験指２２よりも長くしている。これにより、安全性を確保することができる。
【００４１】
したがって、室外機２は、送風性能の低下を抑制しながら、筐体１１の外面に対するファンガード４１の突出を抑制し、これによって大型化を抑制することができる。
【００４２】
ファンガード４１を備えることによる室外機２のその他の利点は、ファンガード１２を備えることによる室外機１の利点と同様である。
【００４３】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。
【００４４】
図８は、本実施形態の室外機の縦断面図である。図８に示すように、本実施形態の室外機３は、図３に示したファンガード１２に代えて、ファンガード５１を備えている。
【００４５】
（ファンガード５１の構成）
室外機３のファンガード５１は、前面部３１に、ファンガード１２の前面部３１の傾斜部３１ｂとは異なる傾斜部（外周部）３１ｄを有する。具体的には、ファンガード１２の傾斜部３１ｂが直線状に傾斜していたのに対し、ファンガード５１の傾斜部３１ｄは、前方へ凸状に緩やかに湾曲しながら、筐体１１の前面１１ｂに向って傾斜している。
【００４６】
ファンガード５１の他の構成はファンガード１２と同様である。なお、傾斜部３１ｄが前方へ凸状に緩やかに湾曲しているファンガード５１の構成は、前述したファンガード４１の傾斜部４２ｂに対しても同様に適用可能である。
【００４７】
（室外機３の利点）
プロペラファンであるファン１３は風を斜め前方に吹き出すので、ファンガード５１の傾斜部３１ｄには、ファン１３が吹き出した風が斜め前方に向って吹き付けられる。一方、ファンガード５１の傾斜部３１ｄは、前方へ凸状に湾曲しているので、突出部３１ａの前面と平行な方向において、傾斜部３１ｄの桟１２ａがファンガード１２の傾斜部３１ｂの桟１２ａと同じピッチで配置されている場合、一つの桟１２ａの前方側端部とその桟１２ａに隣り合う桟１２ａの後方側端部との間隔は、ファン１３が吹き付ける風の方向から見て、傾斜部３１ｄの方が傾斜部３１ｂよりも広くなる。これにより、傾斜部３１ｄでの送風抵抗は傾斜部３１ｂでの送風抵抗よりも小さく、ファンガード５１の方がファンガード１２よりも送風性能が良好となる。また、ファンガード５１は、傾斜部３１ｄが前方へ凸状に緩やかに湾曲しているので、良好なデザインとなっている。
【００４８】
ファンガード５１を備えることによる室外機３のその他の利点は、ファンガード１２を備えることによる室外機１の利点と同様である。また、ファンガード５１の傾斜部３１ｄの構成を室外機２のファンガード４１の傾斜部４２ｂに適用した場合、室外機２は、室外機３の傾斜部３１ｄを有することによる上記利点と同様の利点をさらに有する。
【００４９】
〔まとめ〕
本発明の態様１に係る空気調和機の室外機は、筐体１１の内部にプロペラファンであるファン１３が設けられ、前記筐体１１の前面１１ｂに開口された空気吹出口１１ａが、前記ファン１３と対向する前面部３１に多数の開口部を有するファンガードにて覆われている空気調和機の室外機において、前記ファンガード１２は、前記前面部３１に、前記ファン１３の径方向の、内側部分と対向する突出部３１ａおよび外側部分と対向する外周部（傾斜部３１ｂ）を有し、前記突出部３１ａは、試験指を挿入でき、かつ前記突出部３１ａの前面と前記ファン１３との最短距離が前記試験指よりも長く、前記外周部は、前記試験指を挿入できず、かつ外周側端部に向かうにしたがって前記筐体１１の前記前面１１ｂからの高さが漸次低くなっている。
【００５０】
上記の構成によれば、ファンガード１２の外周部は、外周側端部に向かうにしたがって筐体１１の前面１１ｂからの高さが漸次低くなっている。これにより、室外機は、筐体１１の外面（前面１１ｂ）からのファンガード１２の突出を抑制し、大型化を抑制することができる。
【００５１】
また、ファンガード１２の突出部３１ａは試験指を挿入できる。すなわち突出部３１ａに形成されている開口部は、試験指を挿入できるだけの広さを有している。これにより、ファンガード１２の突出部３１ａは送風抵抗が小さく、室外機は、送風性能の低下を抑制することができる。
【００５２】
また、室外機は、ファンガード１２の突出部３１ａの前面とファン１３との最短距離が試験指よりも長く、ファンガード１２の外周部は、試験指を挿入できない。これにより、室外機は、安全性を確保することができる。
【００５３】
したがって、室外機は、送風性能の低下を抑制しながら、筐体１１の外面に対するファンガード１２の突出を抑制し、これによって大型化を抑制することができる。
【００５４】
本発明の態様２に係る空気調和機の室外機は、上記態様１において、前記試験指は、相対的に長さが長くかつ太い大人用試験指と、相対的に長さが短くかつ細い子供用試験指とがあり、前記試験指は大人用試験指である構成としてもよい。
【００５５】
上記の構成によれば、試験指は大人用試験指であるので、室外機は、大人に対する安全性を確保することができる。
【００５６】
本発明の態様３に係る空気調和機の室外機は、上記態様１において、前記試験指は、相対的に長さが長くかつ太い大人用試験指と、相対的に長さが短くかつ細い子供用試験指とがあり、前記試験指は子供用試験指である構成としてもよい。
【００５７】
上記の構成によれば、試験指は子供用試験指であるので、送風性能は試験指が大人用試験指である場合よりも若干低下するものの、室外機は、大人および子供に対する安全性を確保することができる。
【００５８】
本発明の態様４に係る空気調和機の室外機は、上記態様１から３のいずれか１態様において、前記ファンガード５１の前記前面部３１の前記開口部は、前記前面部３１を形成する複数の桟１２ａの間に形成され、前記前面部３１の前記外周部（傾斜部３１ｄ）は、前方へ凸状に湾曲している構成としてもよい。
【００５９】
上記の構成によれば、ファン１３は風を斜め前方に吹き出し、ファンガード５１の外周部には、ファン１３が吹き出した風が斜め前方に向って吹き付けられる。一方、ファンガード５１の外周部は、前方へ凸状に湾曲しているので、一つの桟１２ａの前方側端部とその桟１２ａに隣り合う桟１２ａの後方側端部との間隔は、ファン１３が吹き付ける風の方向から見て、外周部が、前方へ凸状に湾曲している場合の方が例えば直線状に傾斜している場合よりも広くなる。これにより、ファンガード５１は外周部での送風抵抗が小さく、このようなファンガード５１を備えた室外機は、送風性能が良好となる。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
１〜３    室外機
１１    筐体
１１ａ    空気吹出口
１１ｂ    前面
１２，４１，５１    ファンガード
１２ａ，４１ａ    桟
１３    ファン
１３ａ    中央突出部
１３ｂ    外周突出部
１４    ファンモータ
１５    熱交換器
１６    モータアングル
２１    大人用試験指（試験指）
２２    子供用試験指（試験指）
３１，４２    前面部
３１ａ，４２ａ    突出部
３１ｂ，３１ｄ，４２ｂ    傾斜部（外周部）
３１ｃ，４２ｃ    非開口部
３２，４３    側面部
【図１】
2019143872.tif 000003
【図２】
2019143872.tif 000004
【図３】
2019143872.tif 000005
【図４】
2019143872.tif 000006
【図５】
2019143872.tif 000007
【図６】
2019143872.tif 000008
【図７】
2019143872.tif 000009
【図８】
2019143872.tif 000010